(57)【要約】【課題】磁気テープの品質を判別して、磁気テープの品質を表示し、磁気テープの特性が規格に適合しない粗悪な磁気テープに映像信号を記録することを未然に防止することができるようにする。【解決手段】磁気テープに映像信号を所定時間記録して再生し、再生された映像信号のキャリア信号を検波して、検波されたキャリア信号の信号レベルを所定の基準信号レベルと比較し、磁気テープの品質を判別して、その判別結果をモニタ装置の画面に表示するようにする。【選択図】　　　　図４
2004110983.tif 000002
【特許請求の範囲】
【請求項１】
磁気テープに映像信号を記録再生する磁気記録再生装置において、磁気テープから再生された映像信号のキャリア信号を検波する検波手段と、前記検波手段により検波されたキャリア信号の信号レベルを所定の基準信号レベルと比較して、磁気テープの品質の良否と品質レベルとを判別する判別手段と、前記判別手段により判別された判別結果を文字情報で表示する表示手段とを備え、磁気テープに映像信号を所定時間記録して再生し、再生された映像信号のキャリア信号を検波して、検波されたキャリア信号の信号レベルを所定の基準信号レベルと比較し、磁気テープの品質の良否と品質レベルとを判別して、磁気テープの品質の良否を文字情報で表示し、磁気テープの品質レベルを文字情報で図式的に表示するようにしたことを特徴とする磁気記録再生装置。
【請求項２】
磁気テープに映像信号を記録再生する磁気記録再生装置において、磁気テープから再生された映像信号のキャリア信号を検波する検波手段と、前記検波手段により検波されたキャリア信号の信号レベルを所定の基準信号レベルと比較して、磁気テープの品質を判別する判別手段と、前記判別手段により判別された判別結果を表示する表示手段とを備え、磁気テープに映像信号を所定時間記録して再生し、再生された映像信号のキャリア信号を検波して、検波されたキャリア信号の信号レベルを所定の基準信号レベルと比較し、磁気テープの品質を判別して、その判別結果を表示するようにしたことを特徴とする磁気記録再生装置。
【請求項３】
前記判別手段は、前記検波手段により検波されたキャリア信号の信号レベルを所定の基準信号レベルと比較して、磁気テープの品質の良否を判別する判別手段であることを特徴とする請求項２記載の磁気記録再生装置。
【請求項４】
前記判別手段は、前記検波手段により検波されたキャリア信号の信号レベルを所定の基準信号レベルと比較して、磁気テープの品質レベルを判別する判別手段であることを特徴とする請求項２記載の磁気記録再生装置。
【請求項５】
前記表示手段は、前記判別手段により判別された判別結果を文字情報で表示する表示手段であることを特徴とする請求項２記載の磁気記録再生装置。
【請求項６】
前記表示手段は、前記判別手段により判別された判別結果を文字情報で図式的に表示する表示手段であることを特徴とする請求項２記載の磁気記録再生装置。
【発明の詳細な説明】
【０００１】
【発明の属する技術分野】本発明は、磁気テープに映像信号を記録再生する磁気記録再生装置に係り、特に磁気テープの品質を判定する機能を備えた磁気記録再生装置に関する。
【０００２】
【従来の技術】周知のように、市販されている磁気テープの中には、磁気テープの特性が規格に適合していない粗悪な磁気テープがあり、そのような磁気テープに映像信号を記録して再生した場合、再生された映像信号の信号レベルが規格に適合した磁気テープから再生された映像信号の信号レベルより非常に低く、元の鮮明な映像が再生されないことがある。しかし、一般に、ユーザは、磁気テープの品質についての知識が不足しているため、市販されている磁気テープはいずれも、記録した元の映像と同等の鮮明な映像を再生して視聴できるものと考えていて、再生された映像が元の映像に比べて鮮明でない場合、それが磁気記録再生装置の性能に起因すると誤解していた。
【０００３】画質の調整に関する従来の技術としては、磁気テープから再生されたビデオ輝度信号から画像平均電圧とノイズ量とを検出して、ピーキング回路の特性を制御し、ビデオ輝度信号から画像平均電圧とノイズ量とを合成して、画質調整回路を制御して画質を調整するようにしたものがあった（例えば、特許文献１参照）。
【０００４】また、磁気テープから再生された映像信号を検波して、その検波出力の平均レベルを検出し、その平均レベルにより画質調整回路を制御して画質を調整するようにしたものがあった（例えば、特許文献２参照）。
【０００５】また、周波数が異なる複数のテスト信号を磁気テープに記録し再生して、それぞれの再生レベルを検出し、その再生レベルにより磁気テープの周波数特性を判断して、その周波数特性に応じて記録イコライザ回路の特性を補正するようにしたものがあった（例えば、特許文献３参照）。
【０００６】
【特許文献１】特開平５−１５１７０５号公報
【特許文献２】特開平７−３２７２０７号公報
【特許文献３】特開平６−３６２０４号公報
【０００７】
【発明が解決しようとする課題】しかしながら、従来の技術で述べた最初の２つのものは、磁気テープから再生された信号により画質調整回路を制御して画質を調整することができたが、規格に適合しない粗悪な磁気テープに記録された映像信号は、再生信号レベルが非常に低く、画質を調整しても、記録した元の映像と同等の鮮明な映像が再生されないという問題点を解決するものではなかった。
【０００８】また、最後のものは、周波数が異なる複数のテスト信号を磁気テープに記録し再生して、磁気テープの周波数特性を判断し、その周波数特性に応じて記録イコライザ回路の特性を補正することができたが、磁気テープの周波数特性に応じて記録イコライザ回路の特性を補正しても、規格に適合しない粗悪な磁気テープに記録された映像信号は、再生信号レベルが非常に低く、記録した元の映像と同等の鮮明な映像が再生されないという問題点を解決するものではなかった。
【０００９】本発明は、従来の技術の有するこのような問題点に鑑みてなされたものであり、その目的とするところは、磁気テープの品質を判別して、磁気テープの品質を表示し、磁気テープの特性が規格に適合しない粗悪な磁気テープに映像信号を記録することを未然に防止することができる磁気テープの品質を判定する機能を備えた磁気記録再生装置を提供しようとするものである。
【００１０】
【課題を解決するための手段】上記目的を達成するため本発明においては、磁気テープに映像信号を記録再生する磁気記録再生装置において、磁気テープから再生された映像信号のキャリア信号を検波する検波手段と、前記検波手段により検波されたキャリア信号の信号レベルを所定の基準信号レベルと比較して、磁気テープの品質を判別する判別手段と、前記判別手段により判別された判別結果を表示する表示手段とを備え、磁気テープに映像信号を所定時間記録して再生し、再生された映像信号のキャリア信号を検波して、検波されたキャリア信号の信号レベルを所定の基準信号レベルと比較し、磁気テープの品質を判別して、その判別結果を表示するようにする。
【００１１】そして、前記判別手段は、前記検波手段により検波されたキャリア信号の信号レベルを所定の基準信号レベルと比較して、磁気テープの品質の良否を判別するようにする。
【００１２】また、前記判別手段は、前記検波手段により検波されたキャリア信号の信号レベルを所定の基準信号レベルと比較して、磁気テープの品質レベルを判別するようにする。
【００１３】前記表示手段は、前記判別手段により判別された判別結果を文字情報で表示するようにする。
【００１４】また、前記表示手段は、前記判別手段により判別された判別結果を文字情報で図式的に表示するようにする。
【００１５】これらの手段により、磁気テープの品質を判別して、磁気テープの品質を表示し、磁気テープの特性が規格に適合しない粗悪な磁気テープに映像信号を記録することを未然に防止することができる。
【００１６】
【発明の実施の形態】以下、適宜図面を参照しながら本発明の実施の形態を詳述する。図１は本発明の実施の形態に係る磁気記録再生装置の構成を示すブロック図であり、図２は本発明の実施の形態に係る磁気記録再生装置のキャリア信号とその検波出力レベルとを示す模式図であり、図３は本発明の実施の形態に係る磁気記録再生装置の磁気テープの品質判定結果の表示例を示す図であり、図４は本発明の実施の形態に係る磁気記録再生装置の動作を示すフローチャートである。
【００１７】まず、図１の本発明の実施の形態に係る磁気記録再生装置の構成を示すブロック図を基に説明する。
【００１８】磁気記録再生装置１は、磁気テープ２に映像信号を記録し、磁気テープ２に記録されている映像信号を再生する磁気ヘッド３と、磁気ヘッド３を駆動して映像信号を磁気テープ２に記録するとともに、磁気ヘッド３から出力された映像信号を増幅するヘッドアンプ４と、記録と再生とを切り換える切換回路５と、映像信号の輝度信号をＦＭ変調し、映像信号のカラー信号を周波数変換して、ＦＭ変調された輝度信号と周波数変換されたカラー信号とを混合する記録回路６と、ヘッドアンプ４から出力された映像信号のキャリア信号を検波する検波回路７と、ヘッドアンプ４から出力された映像信号を復調して輝度信号を再生し、ヘッドアンプ４から出力された映像信号を周波数変換してカラー信号を再生して、復調された輝度信号と周波数変換されたカラー信号とを混合して映像信号を再生する再生回路８と、映像信号に文字情報信号を重畳してモニタ装置３０に出力し、映像と文字情報とをモニタ装置３０の画面３０ａに表示するＯＳＤ回路９と、磁気記録再生装置１のシステム全体を制御するマイコン１０と、リモコン装置２０から送信された赤外線信号のリモコン信号を受信して、所定の電気信号に変換するリモコン受信部１１とで構成されている。また、検波回路７は、マイコン１０に内蔵されたＡ／Ｄ（アナログ−デジタル）変換回路の入力端子に接続されていて、検波回路７から出力された信号をデジタル信号に変換して、その信号レベルを判別するようになっている。
【００１９】以上のように構成された磁気記録再生装置について、以下その動作について説明する。
【００２０】リモコン装置２０のキー操作により、モニタ装置３０の画面に表示されたメニュ画面（図示せず）の「磁気テープの品質判定」が選択されると、リモコン装置２０から赤外線信号のリモコン信号が送信され、その赤外線信号のリモコン信号がリモコン受信部１１により受信され、所定の電気信号に変換されてマイコン１０に送出される。マイコン１０は、メニュ画面の「磁気テープの品質判定」を選択するリモコン信号を受信すると、ＯＳＤ回路９に制御信号を送出して、磁気テープの挿入を指示する表示をモニタ装置３０の画面に表示する（図示せず）。そして、ユーザが磁気テープ２を磁気記録再生装置１に挿入すると、マイコン１０は、記録回路６に入力された映像信号を磁気テープ２に所定時間、例えば、２〜５秒間程度記録した後、磁気テープ２を巻き戻し、磁気テープ２に記録された映像信号を再生する。
【００２１】磁気ヘッド３により磁気テープ２から再生された映像信号は、ヘッドアンプ４により増幅されて検波回路７に送出され、磁気テープ２から再生された映像信号のキャリア信号（周波数３．８〜４．８ＭＨｚ）が検波され、マイコン１０に送出される。図２（ａ）及び（ｃ）は、磁気テープから再生された映像信号のキャリア信号を模式的に示したものである。図２（ａ）は、高画質磁気テープ、例えば、Ｓ−ＶＨＳテープから再生された映像信号のキャリア信号を模式的に示したものであり、図２（ｃ）は、磁気テープの特性が規格に適合していない粗悪な磁気テープから再生された映像信号のキャリア信号を模式的に示したものである。また、図２（ｂ）、（ｄ）は、それぞれ図２（ａ）、（ｃ）に示した映像信号のキャリア信号を検波したときのキャリア信号の検波出力レベルを模式的に示したものである。磁気テープの特性が規格に適合した標準的な磁気テープに記録された映像信号のキャリア信号を再生して検波した場合、キャリア信号の検波出力レベルは２．０Ｖ程度となる。マイコン１０は、この信号レベルを基準信号レベルとして、検波回路７から送出された映像信号のキャリア信号の検波出力レベルを基準信号レベル２．０Ｖと比較して、磁気テープの品質の良否を判別する。磁気テープに記録された映像信号を再生して、再生された映像信号のキャリア信号を検波したとき、高画質磁気テープの場合、再生された映像信号のキャリア信号の検波出力レベルは２．８Ｖ程度であるのに対して、磁気テープの特性が規格に適合していない粗悪な磁気テープの場合、再生された映像信号のキャリア信号の検波出力レベルは１．２Ｖ程度と非常に低いものがある。
【００２２】マイコン１０は、磁気記録再生装置１に挿入された磁気テープの品質の良否を判定すると、判定結果の文字情報信号と制御信号とをＯＳＤ回路９に送出して、図３に示すように、磁気記録再生装置１に挿入された磁気テープの品質の良否の判定結果をモニタ装置３０の画面３０ａに表示する。図２（ｂ）に示すように、キャリア信号の検波出力レベルが基準信号レベル以上の場合、磁気テープの品質判定結果「良」と表示され、図２（ｄ）に示すように、キャリア信号の検波出力レベルが基準信号レベル以下である場合、磁気テープの品質判定結果「不良」と表示される。なお、図３では、磁気テープの品質が標準的な磁気テープの品質よりも「良」であることが示されている。これにより、ユーザは、磁気テープの品質の良否を知ることができ、磁気テープの特性が規格に適合しない粗悪な磁気テープに映像信号を記録することを未然に防止することができる。
【００２３】また、磁気テープから再生された映像信号のキャリア信号の検波出力レベルにより、その磁気テープの品質レベルが分類して表示されるようになっている。リモコン装置２０のキー操作により、磁気テープの良否の判定結果を表示されたモニタ装置３０の画面３０ａの磁気テープの品質レベルの「表示」が選択されると、マイコン１０は、図３に示すように、磁気テープの品質判定結果の良否とともに、判定された磁気テープの品質レベルをモニタ装置３０の画面３０ａに文字情報で図式的に表示する。図３は、磁気テープから再生された映像信号のキャリア信号の検波出力レベルが２．６Ｖである場合を一例として示したものであり、標準的な磁気テープの基準信号レベルを中心として、キャリア信号の検波出力レベルを０．２Ｖ刻みで分類し、磁気テープの品質レベルが標準的な磁気テープの基準信号レベルより３レベル（０．６Ｖ）良いことが記号「◎」で図式的に表示されている。これにより、ユーザは磁気テープの品質レベルが標準的な磁気テープよりも品質が３レベル良いものであることがわかる。
【００２４】また、図４の本発明の実施の形態に係る磁気記録再生装置の動作を示すフローチャートを基に説明する。
【００２５】モニタ装置の画面に表示されたメニュ画面の磁気テープの品質判定が選択されると、ステップＳ１からステップＳ２に進み、磁気テープの挿入を指示する表示がモニタ装置の画面に表示され、ステップＳ３に進む。
【００２６】ステップＳ３で、磁気テープが磁気記録再生装置に挿入されたか否かが判断され、磁気テープが磁気記録再生装置に挿入された場合、ステップＳ４に進み、磁気テープが磁気記録再生装置に挿入されていない場合、ステップＳ２に戻って、ステップＳ２からステップＳ４のステップが繰り返される。
【００２７】ステップＳ４で、映像信号が磁気テープに所定時間記録された後、磁気テープが巻き戻され、記録された映像信号が再生されて、磁気テープから再生された映像信号のキャリア信号が検波され、ステップＳ５に進む。
【００２８】ステップＳ５で、再生された映像信号のキャリア信号の検波出力レベルが標準的な磁気テープから再生された映像信号のキャリア信号の検波出力レベルである基準信号レベル以上であるか否かが判断され、キャリア信号の検波出力レベルが基準信号レベル以上である場合、ステップＳ６に進み、キャリア信号の検波出力レベルが基準信号レベル以上でない場合、ステップＳ７に進む。
【００２９】ステップＳ６で、磁気テープの品質「良」がモニタ装置の画面に表示され、ステップＳ８に進む。
【００３０】ステップＳ７で、磁気テープの品質「不良」がモニタ装置の画面に表示され、ステップＳ８に進む。
【００３１】ステップＳ８で、リモコン装置のキー操作により、判定された磁気テープの品質レベルの表示が選択されたか否かが判断され、判定された磁気テープの品質レベルを表示が選択された場合、ステップＳ９に進み、判定された磁気テープの品質レベルを表示が選択されない場合、ステップＳ１０に進んでメインプログラム（図示せず）に戻る。
【００３２】ステップＳ９で、判定された磁気テープの品質レベルがモニタ装置の画面に文字情報で図式的に表示され、ステップＳ１０に進んでメインプログラムに戻る。
【００３３】以上、本発明の実施の形態について詳述したが、本発明はこれに限らず、当業者の通常の知識の範囲内でその変形や改良が可能である。例えば、磁気テープの品質レベルの表示をキャリア信号の検波出力レベルにより、０．２Ｖ刻みで分類して表示することを一例として説明したが、０．１Ｖ刻みで分類して表示してもよい。
【００３４】また、磁気テープの品質レベルをモニタ装置の画面に表示するとき、記号「◎」で図式的に表示することを一例として説明したが、表示方法はこれに限定されるものではなく、他の記号、文字等を用いて表示してもよい。
【００３５】
【発明の効果】以上説明してきたように、本発明による磁気記録再生装置によれば、磁気テープに映像信号を所定時間記録して再生し、再生された映像信号のキャリア信号を検波して、検波されたキャリア信号の信号レベルを標準的な磁気テープから再生されたキャリア信号の信号レベルと比較し、磁気テープの品質の良否と品質レベルとを判別して、その判別結果をモニタ装置の画面に表示することができる。このことにより、磁気テープの品質を判別して、磁気テープの品質を表示し、磁気テープの特性が規格に適合しない粗悪な磁気テープに映像信号を記録することを未然に防止することができる。
【００３６】請求項１記載の発明に係る磁気記録再生装置は、磁気テープに映像信号を所定時間記録して再生し、再生された映像信号のキャリア信号を検波して、検波されたキャリア信号の信号レベルを所定の基準信号レベルと比較して、磁気テープの品質の良否と品質レベルとを判別し、磁気テープの品質の良否を文字情報で表示し、磁気テープの品質レベルを文字情報で図式的に表示するようにしている。
【００３７】請求項２記載の発明に係る磁気記録再生装置は、磁気テープに映像信号を所定時間記録して再生し、再生された映像信号のキャリア信号を検波して、検波されたキャリア信号の信号レベルを所定の基準信号レベルと比較して、磁気テープの品質を判別し、その判別結果を表示するようにしている。
【００３８】請求項３記載の発明に係る磁気記録再生装置は、検波されたキャリア信号の信号レベルを所定の基準信号レベルと比較して、磁気テープの品質の良否を判別するようにしている。
【００３９】請求項４記載の発明に係る磁気記録再生装置は、検波されたキャリア信号の信号レベルを所定の基準信号レベルと比較して、磁気テープの品質レベルを判別するようにしている。
【００４０】請求項５記載の発明に係る磁気記録再生装置は、判別された結果を文字情報で表示するようにしている。
【００４１】請求項６記載の発明に係る磁気記録再生装置は、判別された結果を文字情報で図式的に表示するようにしている。
【図面の簡単な説明】
【図１】本発明の実施の形態に係る磁気記録再生装置の構成を示すブロック図である。
【図２】本発明の実施の形態に係る磁気記録再生装置のキャリア信号とその検波出力レベルとを示す模式図である。
【図３】本発明の実施の形態に係る磁気記録再生装置の磁気テープの品質判定結果の表示例を示す図である。
【図４】本発明の実施の形態に係る磁気記録再生装置の動作を示すフローチャートである。
【符号の説明】
１　磁気記録再生装置
２　磁気テープ
３　磁気ヘッド
４　ヘッドアンプ
５　切換回路
６　記録回路
７　検波回路
８　再生回路
９　ＯＳＤ回路
１０　マイコン
１１　リモコン受信部
２０　リモコン装置
３０　モニタ装置
３０ａ　画面
【図１】
2004110983.tif 000003
【図２】
2004110983.tif 000004
【図３】
2004110983.tif 000005
【図４】
2004110983.tif 000006